(57)【特許請求の範囲】
【請求項１】
映像信号再生装置と、前記映像信号再生装置の出力信号を符号化する符号化回路と、前記映像信号再生装置の再生及び停止の動作を制御すると共に前記符号化回路の符号化の動作を制御するコントローラとを備えた映像信号符号化システムにおいて、
前記コントローラは、
入力された符号化開始時間と符号化終了時間とに基づいて、前記符号化回路により符号化されるフレーム数を設定し、
前記映像信号再生装置の出力信号に含まれるタイムコードと、前記符号化開始時間とを比較し、前記符号化開始時間から予め設定したオフセットフレーム数を差し引いた時間より前の位置まで再生を開始するフレームの位置を戻し、
再度前記映像信号再生装置を再生させて出力される出力信号に含まれるタイムコードが前記符号化開始時間からオフセットフレーム数を差し引いた時間以上になった時点で、符号化開始信号を前記符号化回路に送信し、
前記符号化開始信号の送信後に、前記映像信号再生装置の出力信号に含まれる同期信号からカウントされたフレーム数と、前記設定されたフレーム数とが一致したとき、符号化停止信号を前記符号化回路に送信し、
前記符号化回路は、
前記符号化開始信号と前記符号化停止信号とに基づいて、前記映像信号再生装置の出力信号を符号化すること
を特徴とする映像信号符号化システム。
【発明の詳細な説明】
【０００１】
【発明の属する技術分野】
本発明は、映像信号を符号化し、蓄積するためのシステムに関わる。
【０００２】
【従来の技術】
映像信号を符号化し、蓄積するシステムの従来例として、例えば特開平８−３０７８０９号公報に示されたシステムがある。
【０００３】
図１２は特開平８−３０７８０９号公報に示された従来の映像信号符号化システムのブロック図で、ＭＰＥＧによるデータ作成に適用した映像信号検索システムの一例である。なお、ＭＰＥＧによるデータ作成においては、映像を構成するフレームあるいはフィールドの連続した数個から十数個のグループを単位（ＧＯＰ）として動き補償予測を用いた符号化処理を行い、該グループが検索（アクセス）等を行なう場合の管理単位になる。図において１は符号化する複数の映像データ、２は符号データ制御部、３はビデオ符号化部、４はオーディオ符号化部、５は多重化部、６は一時蓄積部、７は検索・再生制御情報付加部、８は符号データである。
【０００４】
複数の映像データ１のうち、まず映像Ａが符号データ制御部２でフレーム数と符号化処理の単位が揃うように余分なフレームの削除、あるいはダミーフレームのパディングが行われる。符号データ制御部２でフレームを調整された映像データはビデオ信号、オーディオ信号に分離されてそれぞれビデオ符号化部３とオーディオ符号化部４に入力され、符号化される。各符号化部３、４の出力は多重化部５に入力されて多重化符号データとなり、一時蓄積部６に蓄積される。続いて、次の映像データ映像Ｂが同様に符号化され、一時蓄積部６に保存される。全ての映像が符号化され蓄積された後、検索・再生制御情報付加部７において、符号データ中で映像データが記録されているアドレス等、各映像を検索するために必要な情報とフェードイン、フェードアウト、繰り返し再生等の映像制御情報を作成し、各情報を前記符号データ中に付加した後に一連の符号データ８が作成される。なお、符号データ制御部２、ビデオ符号化部３、オーディオ符号化部４、多重化部５は符号化手段を構成し、検索・再生制御情報付加部７は検索・再生制御情報付加手段を構成しているものである。
【０００５】
図１３は、図１２中の符号データ制御部で実施される処理の内容を示したものである。図１３（ａ）では映像データはその最後の区切りが符号化処理単位と一致していない。なお、ここでは符号化処理単位を４フレームとしている。従って、符号データ制御部３では、最後のフレームを削除することによって、符号化処理単位と映像の区切りを揃えている。一方、図１３（ｂ）では、同様に符号化処理単位と映像の最後の区切りをパディングするダミーフレームを付加することによって、符号化処理単位と映像の区切りを揃えているものである。
【０００６】
図１４は、図１２のシステムで作成される符号データの一例を示したものである。この図では、一連の符号データ中に映像Ａ、映像Ｂ、映像Ｃの３個の映像データが含まれている。９、１０、１１は検索情報で、それぞれ符号データ中での位置によってその内容が異なる。検索情報の一例として映像名と該映像の符号長、該検索情報からの各映像の先頭までの素対位置が正負号付きで示されている。例えば、映像Ｃは符号長がｗｗｗ（バイト）で、検索情報１０の然るべき位置から映像Ｃの先頭までは後方にｖｖｖ（バイト）であることが示されている。したがって、映像Ａの途中をアクセスしているときに映像Ｃの提示要求が発生した場合には、速やかに次の検索情報１０をアクセスし、検索情報から映像Ｃまでの位置がｖｖｖ（バイト）先であることを知って、高速かつ継続的に映像Ｃにアクセスが可能となるものである。
【０００７】
【発明が解決しようとする課題】
上記従来の映像信号符号化システムでは、複数の映像の符号化処理単位を合わせて複数の映像を一連の符号データとして符号化する大まかな構成と符号化制御部の処理及びその時のデータ構成については示されているが、いかにして映像信号再生装置から再生される映像信号の中から符号化したい映像を指定するか、いかにして映像信号再生装置と符号化装置を制御し、正確に指定された部分だけを符号化するかについては一切記述されていない。
【０００８】
本発明は、映像信号再生装置から再生される映像信号の中から符号化したい映像のみを指定し、その部分だけを正確に符号化し蓄積するための符号化装置及び符号化システムを得ることを目的とする。
【０００９】
【課題を解決するための手段】
本願発明に係る映像信号符号化システムは、符号化開始信号を送信する第１のコントローラと、映像信号再生装置から出力されている信号の同期信号からフレーム数をカウントし、設定されたフレーム数と一致したとき符号化停止信号を送信する第２のコントローラを有する。
【００１０】
本願発明に係る映像信号符号化システムは、映像信号再生装置の再生及び停止等の動作を制御し、映像信号再生装置から出力されている信号が設定されたフレームであるかどうかを判断し、その結果に応じて符号化開始信号を送信する第１のコントローラと、映像信号再生装置から出力されている信号の同期信号からフレーム数をカウントし、設定されたフレーム数と一致したとき符号化停止信号を送信する第２のコントローラを有する。
【００１１】
本願発明に係る映像信号符号化システムは、符号化開始信号を送信するとともに、映像信号再生装置から出力されている信号の同期信号からフレーム数をカウントし、設定されたフレーム数と一致したとき符号化停止信号を送信する第１のコントローラを有する。
【００１２】
本願発明に係る映像信号符号化システムは、映像信号再生装置の再生及び停止等の動作を制御し、映像信号再生装置から出力されている信号が設定されたフレームであるかどうかを判断し、その結果に応じて符号化開始信号を送信するとともに、映像信号再生装置から出力されている信号の同期信号からフレーム数をカウントし、設定されたフレーム数と一致したとき符号化停止信号を送信する第１のコントローラを有する。
【００１３】
本願発明に係る符号化装置は、映像信号再生装置より再生された映像信号の中から所望の映像信号を選択して符号化し、符号化した信号を蓄積装置に記憶させるものにおいて、上記蓄積装置に記憶させる映像信号のフレーム数を設定する設定手段と、上記映像信号再生装置より再生した映像信号の同期信号を抽出する同期信号分離手段と、外部からの符号化開始信号に応じて、抽出した上記同期信号に基づきフレーム数をカウントし、上記設定手段で設定したフレーム数と一致したときに符号化停止信号を発生するコントローラを有する。
【００１４】
【発明の実施の形態】
本発明に係る映像信号符号化システムにおいては、符号化開始信号を送信する第１のコントローラと、映像信号再生装置から出力されている信号の同期信号からフレーム数をカウントし、設定されたフレーム数と一致したとき符号化停止信号を送信する第２のコントローラを有するため、映像信号再生装置から再生される映像信号の中から符号化したい映像（フレーム）のみを指定し、その部分だけを正確に、指定するフレーム数分だけ符号化するシステムを得ることができる。
【００１５】
本発明に係る映像信号符号化システムは、映像信号再生装置の再生及び停止等の動作を制御し、映像信号再生装置から出力されている信号が設定されたフレームであるかどうかを判断し、その結果に応じて符号化開始信号を送信する第１のコントローラと、映像信号再生装置から出力されている信号の同期信号からフレーム数をカウントし、設定されたフレーム数と一致したとき符号化停止信号を送信する第２のコントローラを有するため、映像信号再生装置から再生される映像信号の中から符号化したい映像（フレーム）のみを符号化開始時間と符号化終了時間をタイムコードにより指定し、その部分だけを正確に、タイムコードにより指定したフレーム数分だけ符号化するシステムを得ることができる。
【００１６】
本発明に係る映像信号符号化システムは、符号化開始信号を送信するコントロールと、映像信号再生装置から出力されている信号の同期信号からフレーム数をカウントし、設定されたフレーム数と一致したとき符号化停止信号を送信するコントロールを１つのコントローラで行う構成とするため、映像信号再生装置から再生される映像信号の中から符号化したい映像（フレーム）のみを指定し、その部分だけを正確に、指定するフレーム数分だけ符号化するためのシステムをより簡単な構成により得ることができる。
【００１７】
本発明に係る映像信号符号化システムは、映像信号再生装置の再生及び停止等の動作を制御し、映像信号再生装置から出力されている信号が設定されたフレームであるかどうかを判断し、その結果に応じて符号化開始信号を送信するコントロールと、映像信号再生装置から出力されている信号の同期信号からフレーム数をカウントし、設定されたフレーム数と一致したとき符号化停止信号を送信するコントロールを１つのコントローラで行う構成とするため、映像信号再生装置から再生される映像信号の中から符号化したい映像（フレーム）のみを符号化開始時間と符号化終了時間をタイムコードにより指定し、その部分だけを正確に、タイムコードにより指定したフレーム数分だけ符号化するためのシステムをより簡単な構成により得ることができる。
【００１８】
本発明に係る映像信号符号化装置は、蓄積装置に記憶させる映像信号のフレーム数を設定し、外部からの符号化開始信号に応じて、映像信号再生装置より再生した映像信号より抽出した同期信号に基づきフレーム数をカウントし、設定したフレーム数とカウント数が一致したときに符号化を停止させるように構成されているので、映像信号再生装置から再生される映像信号の中から符号化したい映像（フレーム）のみを簡易かつ正確に、指定されたフレーム数分だけ符号化することができる。
【００１９】
以下、本発明を実施の形態を図面に基づいて具体的に説明する。
実施の形態１．
図１は、本発明の実施の形態１である映像信号符号化システムを示すブロック図である。５０は映像信号符号化システムの映像信号源となるＶＴＲ等の映像信号再生装置、５１は映像信号再生装置５０より入力する映像信号にＭＰＥＧ等の方式による符号化を施す第１の符号化装置、５２は第１の符号化装置５１の内部に設けられ、実際のＭＰＥＧ等の符号化を回路的に行い外部に備えられたＨＤＤ等の蓄積メディアに出力するストリームを生成する符号化回路、５３は第１の符号化装置５１の内部に設けられ、映像信号再生装置５０より入力する映像信号の同期信号を分離する同期信号分離回路、５４は第１の符号化装置５１の外部に備えられ第２のコントローラ５５を介して第１の符号化装置５１を制御するパソコン等からなる第１のコントローラ、５５は第１の符号化装置５１の内部に設けられ、第１のコントローラ５４からの制御信号を受け、符号化回路５２の符号化処理を制御する第１のコントローラである。以上のように、第１の符号化装置５１は符号化回路５２、同期信号分離回路５３、および第２のコントローラ５５により構成されている。
【００２０】
また、図２は本発明の実施の形態１である映像信号符号化システムの制御方法を第１のコントローラ５４の操作画面を用いて説明するための図である。なお、操作画面は映像信号符号化を開始する開始ボタンと、第１の符号化装置５１の符号化開始、あるいは符号化停止等のステータスを示すステータス表示欄と、符号化する映像のフレーム数を設定する符号化時間設定欄から構成されている。
【００２１】
また、図３は本発明の実施の形態１である映像信号符号化システムの制御方法をフローチャートを用いて説明するための図である。
【００２２】
また、図４は本発明の実施の形態１である映像信号符号化システムの第１の符号化装置５１の動作をフローチャートを用いて説明するための図である。
【００２３】
次に図１、図２、図３、および図４を用いて本発明の実施の形態１の映像信号符号化システムの動作を詳細に説明する。図３のフローチャートに従い説明すると、６０において、符号化開始前には第１のコントローラ５４の操作画面上のステータス表示欄は符号化停止と表示されている。６１において、第１のコントローラ５４の操作画面上の符号化時間設定欄に符号化したい映像の数すなわち符号化フレーム数を設定する。次に６２において、第１のコントローラ５４から第２のコントローラ５５へ第１の符号化装置５１が符号化開始可能か否かを問い合わせ、符号化開始可能であれば、６３において、第１のコントローラ５４は、上記６１で設定した符号化フレーム数を、第２のコントローラ５５へ送信する。次に６４において、第１のコントローラ５４は符号化開始命令を第２のコントローラ５５に送信する。６５において、第１のコントローラ５４は第２のコントローラ５５より符号化開始信号受信の通達を受けて、第１のコントローラ５４の操作画面上のステータス表示欄に符号化開始と表示する。
【００２４】
一方、符号化開始から符号化停止までの第１の符号化装置５１側の動作について図４を用いて説明する。まず、７０において、図３の６３において送信された符号化フレーム数を第２のコントローラ５５により受信し、受信したことを第１のコントローラ５４に通達する。次に７１において、図３の６４において送信された符号化開始命令を第２のコントローラ５５により受信し、受信したことを第１のコントローラ５４に通達すると同時に、７２において、第１の符号化装置５１内の同期信号分離回路５３において、映像信号再生装置５０より入力する映像信号から分離した同期信号をカウントする同期信号カウンタをスタートさせる。符号化開始後は、７３に示すように、第２のコントローラ５５において、上記同期信号カウンタのカウンタ数が図３の６１で第１のコントローラ５４が設定した符号化フレーム数と一致するか否かを確認し、一致すると、７４に示すように、第２のコントローラ５５より符号化停止命令を第１のコントローラ５４に送信する。なお、この時同時に、第２のコントローラ５５は符号化回路５２の符号化処理を停止させる。
【００２５】
一方、第１のコントローラ５４側では、図３の６４において、符号化開始命令送信後は、図３の６６に示すように、第２のコントローラ５５からの符号化停止命令を受信するまで、図３の６５において、ステータス表示欄に符号化開始と表示し続ける。第１の符号化装置５１において、第１のコントローラ５４が設定した符号化フレーム数までの符号化が終了し、第２のコントローラ５５より送信される符号化停止命令を受信すると、図３の６７において、第１のコントローラ５４はステータス表示欄に符号化停止と表示して、一連の符号化動作を終了する。
【００２６】
このように構成された映像信号符号化システムにおいては、映像信号再生装置から再生される映像信号の中から符号化したい映像（フレーム）のみを指定し、その部分だけを正確に、指定するフレーム数分だけ符号化するためのシステムを得ることができる。
【００２７】
次に、本発明の実施の形態２を図面に基づいて具体的に説明する。
実施の形態２．
図５は、本発明の実施の形態２である映像信号符号化システムを示すブロック図である。５０〜５３、および５５は実施の形態１の図１に示したものと同一であるので説明は省略する。５６は第１の符号化装置５１、および映像信号再生装置５０に制御信号を与えるパソコン等からなる第３のコントローラである。
【００２８】
また、図６は本発明の実施の形態２である映像信号符号化システムの制御方法を第３のコントローラ５６の操作画面を用いて説明するための図である。
なお、操作画面は映像信号の符号化を開始する開始ボタンと、映像信号再生装置５０から入力する映像信号の符号化を開始する時間を設定する開始時間設定欄、並びに符号化を終了する時間を設定する終了時間設定欄と、第１の符号化装置５１の符号化開始、あるいは符号化停止等のステータスを表示するステータス表示欄と、映像再生装置５０が第３のコントローラ５６から再生開始を示す制御信号を受信してから実際に再生を開始するまでに必要な時間の遅延を吸収するためのオフセットフレーム数設定欄から構成される。
【００２９】
また、図７は本発明の実施の形態２である映像信号符号化システムの制御方法をフローチャートを用いて説明するための図である。
【００３０】
また、図４は本発明の実施の形態２である映像信号符号化システムの第１の符号化装置５１の動作をフローチャートを用いて説明するための図であり、実施の形態１で示したものと同一のものである。
【００３１】
次に図５、図６、図７、および図４を符号化システムの動作を詳細に説明する。図７のフローチャートに従い説明すると、８０において、符号化開始前、図６の第３のコントローラ５６の操作画面上のステータス表示欄は符号化停止と表示されている。８１において、図６の第３のコントローラ５６の操作画面上の開始時間設定欄、および終了時間設定欄に開始時間、および終了時間を設定する。次に８２において、第３のコントローラ５６は８１において設定した符号化開始時間、および符号化終了時間から符号化フレーム数を求める。次に８３において、第３のコントローラ５６から第２のコントローラ５５へ第１の符号化装置５１が符号化開始可能か否かを問い合わせ、符号化開始可能であれば、８４において、第３のコントローラ５６は、上記８２で求めた符号化フレーム数を、第２のコントローラ５５へ送信する。次に８５において、第３のコントローラ５６は映像信号再生装置５０に符号化開始時間より前の位置まで巻き戻しを行う。次に８６において、第３のコントローラ５６は映像信号再生装置５０に再生開始信号を送信し映像信号再生装置５０は再生を開始する。次に８７において、再生中の映像信号再生装置５０のタイムコードを取得し、８８において取得したタイムコードが符号化開始時間からオフセットフレーム数を差し引いたもの以上になったところで、８９において第３のコントローラ５６は第２のコントローラ５５に符号化開始命令を送信する。９０において第３のコントローラ５６は第２のコントローラ５５より符号化開始信号受信の通達を受けて、図６の第３のコントローラ５６の操作画面上のステータス表示欄に符号化開始と表示する。
【００３２】
一方、符号化開始から符号化停止までの第１の符号化装置５１側の動作については、上記実施の形態１の場合と同一である。再度、図４を用いて説明する。図４の７０において、図７の８４において送信された符号化フレーム数を第２のコントローラ５５により受信し、受信したことを第３のコントローラ５６に通達する。次に図４の７１において、図７の８９において送信された符号化開始命令を第２のコントローラ５５により受信し、受信したことを第３のコントローラ５６に通達すると同時に、図８の７２において、第１の符号化装置５１内の同期信号分離回路５３において、映像信号再生装置５０より入力される映像信号から分離された同期信号をカウントする同期信号カウンタをスタートさせる。符号化開始後は、図４の７３に示すように、第２のコントローラ５５において、上記同期信号カウンタのカウンタ数が図７の８２で第３のコントローラ５６が求めた符号化フレーム数と一致するか否かを確認し、一致すると、図４の７４に示すように、第２のコントローラ５５より符号化停止命令を第３のコントローラ５６に送信する。なお、この時同時に、第２のコントローラ５５は符号化回路５２の符号化も停止させる。
【００３３】
一方、第３のコントローラ５６側では、図７の８９において、符号化開始命令送信後は、図７の９１に示すように、第２のコントローラ５５からの符号化停止命令を受信するまで、図７の９０において、ステータス表示欄に符号化開始と表示し続ける。第１の符号化装置５１において、第３のコントローラ５６が設定した符号化フレーム数までの符号化が終了し、第２のコントローラ５５より送信される符号化停止命令を受信すると、図７の９２において、第３のコントローラ５６はステータス表示欄に符号化停止と表示して、さらに図７の９３において、映像信号再生装置５０の再生を停止させて、一連の符号化動作を終了する。
【００３４】
このように構成された映像信号符号化システムにおいては、映像信号再生装置から再生される映像信号の中から符号化したい映像を符号化開始時間と符号化終了時間をタイムコードにより指定し、その部分を正確に、タイムコードにより指定したフレーム数分だけ符号化するためのシステムを得ることができる。
【００３５】
次に、本発明の第３の実施の形態を図面に基づいて具体的に説明する。
実施の形態３．
図８は、本発明の実施の形態３である映像信号符号化システムを示すブロック図である。５０〜５３は実施の形態１の図１に示したものと同一であるので説明は省略する。５７は第２の符号化装置、５８は第２の符号化装置５７に制御信号を与えるＰＣ等の第４のコントローラである。なお、第２の符号化装置５７は符号化回路５２、同期信号分離回路５３により構成されている。
【００３６】
また、本発明の実施の形態３である映像信号符号化システムの第４のコントローラ５８の操作画面は実施の形態１の図２に示したものと同一であるので説明は省略する。
【００３７】
また、図９は本発明の実施の形態３である映像信号符号化システムの制御方法をフローチャートを用いて説明するための図である。
【００３８】
次に図２、図８、および図９を用いて本発明の実施の形態３の映像信号符号化システムの動作を詳細に説明する。図９のフローチャートに従い説明すると、１００において、符号化開始前、図２の第４のコントローラ５８の操作画面上のステータス表示欄は符号化停止と表示されている。１０１において、図２の第４のコントローラ５８の操作画面上の符号化時間設定欄に符号化フレーム数を設定する。次に１０２において、第４のコントローラ５８から第２の符号化装置５７が符号化開始可能か否かを問い合わせ、符号化開始可能であれば、１０３において、第４のコントローラ５８は、符号化開始命令を第２の符号化装置５７内の符号化回路５２に送信するとともに、第２の符号化装置５７内の同期信号分離回路５３において、映像信号再生装置５０より入力される映像信号から分離された同期信号をカウントする同期信号カウンタをスタートさせる。１０３において符号化開始命令を送信すると、１０４において図２の第４のコントローラ５８の操作画面上のステータス表示欄に符号化開始と表示する。
【００３９】
上記、図９の１０３において、第４のコントローラ５８より送信される符号化開始命令を受信して、第２の符号化装置５７は符号化を開始する。図９の１０５において、第４のコントローラ５８では図９の１０３でスタートさせた同期信号カウンタのカウンタ数が、図９の１０１で設定した符号化フレーム数と一致するか否かを監視する。図９の１０５において、符号化フレーム数と同期信号カウンタ数が一致すると、第４のコントローラ５８は図９の１０６において、第２の符号化装置５７に符号化停止命令を送信する。図９の１０７において第４のコントローラ５８は第２の符号化装置５７の符号化停止を確認すると、図９の１０８において、図２の第４のコントローラ５８の操作画面上のステータス表示欄に符号化停止と表示して、一連の符号化動作を終了する。
【００４０】
このように構成された映像信号符号化システムにおいては、映像信号再生装置から再生される映像信号の中から符号化したい映像を指定し、その部分を正確に、指定するフレーム数分だけ符号化するためのシステムをより簡単な構成により得ることができる。
【００４１】
次に、本発明の第４の実施の形態を図面に基づいて具体的に説明する。
実施の形態４．
図１０は、本発明の実施の形態４である映像信号符号化システムを示すブロック図である。５０〜５３は実施の形態１の図１に示したものと同一であるので説明は省略する。５７は第２の符号化装置、５９は第２の符号化装置５７に制御信号を与えるＰＣ等の第５のコントローラである。なお、第２の符号化装置５７は符号化回路５２、同期信号分離回路５３により構成されている。
【００４２】
また、本発明の実施の形態４である映像信号符号化システムの第５のコントローラ５９の操作画面は実施の形態２の図６に示したものと同一であるので説明は省略する。
【００４３】
また、図１１は本発明の実施の形態４である映像信号符号化システムの制御方法をフローチャートを用いて説明するための図である。
【００４４】
次に図６、図１０、および図１１を用いて本発明の実施の形態４の映像信号符号化システムの動作を詳細に説明する。図１１のフローチャートに従い説明すると、１１０において、符号化開始前、図６の第５のコントローラ５９の操作画面上のステータス表示欄は符号化停止と表示されている。１１１において、図６の第５のコントローラ５９の操作画面上の開始時間設定欄、および終了時間設定欄に開始時間、および終了時間を設定する。次に１１２において設定した符号化開始時間、および符号化終了時間から符号化フレーム数を求めて設定する。次に１１３において、第５のコントローラ５９から第２の符号化装置５７が符号化開始可能か否かを問い合わせ、符号化開始可能であれば、１１４において、第５のコントローラ５９は、映像信号再生装置５０に符号化開始時間より前の位置まで巻き戻しを行う。次に１１５において、第５のコントローラ５９は映像信号再生装置５０に再生開始信号を送信し、映像信号再生装置５０は再生を開始する。
次に、１１６において、再生中の映像信号再生装置５０のタイムコードを取得し、１１７において取得したタイムコードが符号化開始時間からオフセットフレーム数を差し引いたもの以上になったところで、１１８において、第５のコントローラ５９は符号化開始命令を第２の符号化装置５７内の符号化回路５２に送信するとともに、第２の符号化装置５７内の同期信号分離回路５３において、映像信号再生装置５０より入力される映像信号から分離された同期信号をカウントする同期信号カウンタをスタートさせる。１１８において符号化開始命令を送信すると、１１９において図６の第５のコントローラ５９の操作画面上のステータス表示欄に符号化開始と表示する。
【００４５】
上記、図１１の１１８において、第５のコントローラ５９より送信される符号化開始命令を受信して、第２の符号化装置５７は符号化を開始する。図１１の１２０において、第５のコントローラ５９では図１１の１１８でスタートさせた同期信号カウンタのカウンタ数が、図１１の１１２で設定した符号化フレーム数と一致するか否かを監視する。図１１の１２０において、符号化フレーム数と同期信号カウンタ数が一致すると、第５のコントローラ５９は図１１の１２１において、第２の符号化装置５７に符号化停止命令を送信する。図１１の１２２において第５のコントローラ５９は第２の符号化装置５７の符号化停止を確認すると、図１１の１２３において、図６の第５のコントローラ５９の操作画面上のステータス表示欄に符号化停止と表示し、さらに、図１１の１２４において、映像信号再生装置５０の再生を停止させて、一連の符号化動作を終了する。
【００４６】
このように構成された映像信号符号化システムにおいては、映像信号再生装置から再生される映像信号の中から符号化したい映像を符号化開始時間と符号化終了時間をタイムコードにより指定し、その部分を正確に、タイムコードにより指定したフレーム数分だけ符号化するためのシステムをより簡単な構成により得ることができる。
【００４７】
【発明の効果】
この発明は、以上説明したように構成されているので、以下に示すような効果を奏する。
【００４８】
本発明の映像信号符号化システムによれば、符号化開始信号を送信する第１のコントローラと、映像信号再生装置から出力されている信号の同期信号からフレーム数をカウントし、設定されたフレーム数と一致したとき符号化停止信号を送信する第２のコントローラを有するため、映像信号再生装置から再生される映像信号の中から符号化したい映像を指定し、その部分を正確に、指定するフレーム数分だけ符号化するためのシステムを得ることができる。
【００４９】
本発明の映像信号符号化システムによれば、映像信号再生装置の再生及び停止等の動作を制御し、映像信号再生装置から出力されている信号が設定されたフレームであるかどうかを判断し、その結果に応じて符号化開始信号を送信する第１のコントローラと、映像信号再生装置から出力されている信号の同期信号からフレーム数をカウントし、設定されたフレーム数と一致したとき符号化停止信号を送信する第２のコントローラを有するため、映像信号再生装置から再生される映像信号の中から符号化したい映像を符号化開始時間と符号化終了時間をタイムコードにより指定し、その部分を正確に、タイムコードにより指定したフレーム数分だけ符号化するためのシステムを得ることができる。
【００５０】
本発明の映像信号符号化システムによれば、符号化開始信号を送信するコントロールと、映像信号再生装置から出力されている信号の同期信号からフレーム数をカウントし、設定されたフレーム数と一致したとき符号化停止信号を送信するコントロールを１つのコントローラで行う構成とするため、映像信号再生装置から再生される映像信号の中から符号化したい映像を指定し、その部分を正確に、指定するフレーム数分だけ符号化するためのシステムをより簡単な構成により得ることができる。
【００５１】
本発明の映像信号符号化システムによれば、映像信号再生装置の再生及び停止等の動作を制御し、映像信号再生装置から出力されている信号が設定されたフレームであるかどうかを判断し、その結果に応じて符号化開始信号を送信するコントロールと、映像信号再生装置から出力されている信号の同期信号からフレーム数をカウントし、設定されたフレーム数と一致したとき符号化停止信号を送信するコントロールを１つのコントローラで行う構成とするため、映像信号再生装置から再生される映像信号の中から符号化したい映像を符号化開始時間と符号化終了時間をタイムコードにより指定し、その部分を正確に、タイムコードにより指定したフレーム数分だけ符号化するためのシステムをより簡単な構成により得ることができる。
【００５２】
本発明の映像信号符号化装置によれば、蓄積装置に記憶させる映像信号のフレーム数を設定し、外部からの符号化開始信号に応じて、映像信号再生装置より再生した映像信号より抽出した同期信号に基づきフレーム数をカウントし、設定したフレーム数とカウント数が一致したときに符号化を停止させるように構成されているので、映像信号再生装置から再生される映像信号の中から符号化したい映像（フレーム）のみを簡易かつ正確に、指定されたフレーム数分だけ符号化することができる。
【図面の簡単な説明】
【図１】  本発明の実施の形態１の映像信号符号化システムのブロック図である。
【図２】  本発明の実施の形態１の映像信号符号化システムのコントローラ１の操作画面を示す図である。
【図３】  本発明の実施の形態１の映像信号符号化システムのコントローラ１の制御方法を示すフローチャートである。
【図４】  本発明の実施の形態１の映像信号符号化システムのコントローラ２の制御方法を示すフローチャートである。
【図５】  本発明の実施の形態２の映像信号符号化システムのブロック図である。
【図６】  本発明の実施の形態２の映像信号符号化システムのコントローラ３の操作画面を示す図である。
【図７】  本発明の実施の形態２の映像信号符号化システムのコントローラ３の制御方法を示すフローチャートである。
【図８】  本発明の実施の形態３の映像信号符号化システムのブロック図である。
【図９】  本発明の実施の形態３の映像信号符号化システムのコントローラ４の制御方法を示すフローチャートである。
【図１０】  本発明の実施の形態４の映像信号符号化システムのブロック図である。
【図１１】  本発明の実施の形態４の映像信号符号化システムのコントローラ５の制御方法を示すフローチャートである。
【図１２】  従来の映像信号符号化システムの一例を示すブロック図である。
【図１３】  図１２の符号データ制御処理の内容一例を示す図である。
【図１４】  図１２のシステムで作成される符号データの一例を示す図である。
【符号の説明】
５０  映像信号再生装置、５１  第１の符号化装置、５２  符号化回路、５３同期信号分離回路、５４  第１のコントローラ、５５  第２のコントローラ、５６  第３のコントローラ、５７  第２の符号化装置、５８  第４のコントローラ
【図１】
0003951430.tif 000002
【図２】
0003951430.tif 000003
【図３】
0003951430.tif 000004
【図４】
0003951430.tif 000005
【図５】
0003951430.tif 000006
【図６】
0003951430.tif 000007
【図７】
0003951430.tif 000008
【図８】
0003951430.tif 000009
【図９】
0003951430.tif 000010
【図１０】
0003951430.tif 000011
【図１１】
0003951430.tif 000012
【図１２】
0003951430.tif 000013
【図１３】
0003951430.tif 000014
【図１４】
0003951430.tif 000015